(57)【要約】  本発明は、台座、支持柱、フレキシブルタッチパネル及び光源アセンブリを含む照明装置を提供する。支持柱は、一端が台座に接続され、他端が光源アセンブリに接続され、フレキシブルタッチパネルは、支持柱の外表面に貼り付けられて固定され、光源アセンブリと電気的に接続され、タッチ動作を感知して光源アセンブリの発光状態を制御する。フレキシブルタッチパネルを触れることにより、光源アセンブリの輝度、色温度などの発光状態の制御を実現可能であり、ユーザが強力を用いることなく、フレキシブルタッチパネルに軽く触れれば便利に調光することができる。フレキシブルタッチパネルを支持柱に設けることにより、ユーザのタッチ操作を便利にし、ユーザの操作体験を向上させる。【選択図】図３
2019501490.tif 000002
【特許請求の範囲】
【請求項１】
照明装置であって、
台座と、支持柱と、フレキシブルタッチパネルと、光源アセンブリとを含み、
前記支持柱は、一端が前記台座に接続され、他端が前記光源アセンブリに接続され、
前記フレキシブルタッチパネルは、前記支持柱の外表面に貼り付けられて固定され、前記光源アセンブリと電気的に接続され、タッチ動作を感知して前記光源アセンブリの発光状態を制御することを特徴とする、照明装置。
【請求項２】
前記フレキシブルタッチパネルは、前記支持柱を囲むことを特徴とする、請求項１に記載の照明装置。
【請求項３】
前記フレキシブルタッチパネル及び前記支持柱は、透明材料からなることを特徴とする、請求項１に記載の照明装置。
【請求項４】
前記台座には、前記支持柱と同軸に配置された取付柱が設けられ、
前記支持柱は、前記取付柱に取り外し可能に固定接続されていることを特徴とする、請求項１に記載の照明装置。
【請求項５】
前記光源アセンブリは、ランプハウジングと、前記ランプハウジングに取り付けられたＬＥＤランプとを含むことを特徴とする、請求項１〜４のいずれか１項に記載の照明装置。
【請求項６】
前記光源アセンブリは、前記ランプハウジングの一端に固定されて前記支持柱と接続された取付筒をさらに含むことを特徴とする、請求項５に記載の照明装置。
【請求項７】
前記支持柱は、前記取付筒内に挿入された突起を含み、
前記突起と前記突起を囲む前記取付筒の内壁との間には、収容キャビティが形成され、
前記フレキシブルタッチパネルには、フレキシブル回路基板が電気的に接続され、
前記フレキシブル回路基板は、前記光源アセンブリに電気的に接続され、前記収容キャビティに位置していることを特徴とする、請求項６に記載の照明装置。
【請求項８】
前記フレキシブルタッチパネルの外表面は、前記取付筒の外表面と面一になることを特徴とする、請求項６項に記載の照明装置。
【請求項９】
前記照明装置は、前記光源アセンブリに設けられて前記光源アセンブリをオン／オフするように構成されたスイッチアセンブリをさらに含むことを特徴とする、請求項５に記載の照明装置。
【請求項１０】
前記スイッチアセンブリと前記ランプハウジングとは、それぞれ、前記支持柱の対向する両側に設けられていることを特徴とする、請求項９に記載の照明装置。
【請求項１１】
前記スイッチアセンブリは、ＬＥＤナイトライトを含み、
前記ＬＥＤナイトライトの輝度と前記ＬＥＤランプの輝度とは逆に変化することを特徴とする、請求項９に記載の照明装置。
【請求項１２】
前記スイッチアセンブリは、前記ランプハウジングに回転可能に接続された回転ボタンをさらに含み、
前記ＬＥＤナイトライトは、前記回転ボタンに収容され、前記ＬＥＤナイトライトから発した光が前記回転ボタンを透過して出射することを特徴とする、請求項１１に記載の照明装置。
【請求項１３】
前記照明装置は、制御器と電池とをさらに含み、
前記制御器と前記電池とは、何れも前記フレキシブルタッチパネル及び前記光源アセンブリに電気的に接続されていることを特徴とする、請求項５に記載の照明装置。
【請求項１４】
前記電池と前記制御器とは、前記フレキシブルタッチパネルの同じ側に取り付けられ、
前記電池は、前記ランプハウジングに収容されていることを特徴とする、請求項１３に記載の照明装置。
【請求項１５】
前記電池と前記制御器とは、前記フレキシブルタッチパネルの対向する両側に取り付けられ、
前記フレキシブルタッチパネルは、導電路径として前記電池と前記制御器とを電気的に接続していることを特徴とする、請求項１３に記載の照明装置。
【発明の詳細な説明】
【技術分野】
【０００１】
本発明は、照明器具に関し、特に、照明装置に関する。
【背景技術】
【０００２】
従来の電気スタンドは、一般的に、ツマミにより発光輝度の変更を実現するが、そのようなツマミを使用する場合、ユーザがツマミの位置を見い出した後、指でツマミを回転させる必要がある。しかしながら、ツマミを回転させるときに大きな力を必要とする場合があるため、照明装置の調光が困難であり、ユーザの体験に悪い影響を与える。
【発明の概要】
【０００３】
本発明が解决しようとする技術的課題は、便利に調光可能な照明装置を提供することにある。
【０００４】
上記した技術的課題を解決するために、本発明の実施形態は、照明装置であって、
台座と、支持柱と、フレキシブルタッチパネルと、光源アセンブリとを含み、
前記支持柱は、一端が前記台座に接続され、他端が前記光源アセンブリに接続され、
前記フレキシブルタッチパネルは、前記支持柱の外表面に貼り付けられて固定され、前記光源アセンブリと電気的に接続され、タッチ動作を感知して前記光源アセンブリの発光状態を制御する、照明装置を提供する。
【０００５】
本発明に係る照明装置は、ユーザがフレキシブルタッチパネルに触れることにより、光源アセンブリの輝度、色温度などの発光状態の制御を実現することができる。ユーザが強力を用いることなく、フレキシブルタッチパネルに軽く触れれば便利に調光することができる。フレキシブルタッチパネルが支持柱に設けられるため、ユーザのタッチ操作を便利にし、ユーザの操作体験を向上させる。
【０００６】
以下、本発明の実施形態又は従来技術における技術的構成をより明確に説明するために、実施形態又は従来技術の説明に必要な図面について簡単に述べる。下記の説明に係る図面は、本発明のいくつかの実施形態に過ぎず、当業者にとって、創造的な努力なしにこれらの図面により他の図面を得ることは明らかである。
【図面の簡単な説明】
【０００７】
【図１】図１は、本発明の好ましい実施形態に係る照明装置の構造概略図である。
【図２】図２は、図１における照明装置の別の角度から見た構造概略図である。
【図３】図３は、図１における照明装置の断面の構造概略図である。
【図４】図４は、図１における照明装置のフレキシブルタッチパネルの構造概略図である。
【図５】図５は、図３における照明装置の支持柱の構造概略図である。
【図６】図６は、図５における支持柱の別の角度から見た構造概略図である。
【発明を実施するための形態】
【０００８】
以下、本発明の実施形態に係る図面を参照しながら、本発明の実施形態に係る技術的構成を明確かつ完全に説明する。
【０００９】
図１〜３を参照すると、本発明の好ましい実施形態に係る照明装置を示す。照明装置は、好ましくは、台座１と、支持柱２と、フレキシブルタッチパネル３と、光源アセンブリ４とを含む電気スタンドである。フレキシブルタッチパネル３は、支持柱２に設けられ、かつ光源アセンブリ４に電気的に接続されており、このようにして、光源アセンブリ４の制御を実現する。
【００１０】
支持柱２は、一端が台座１に接続され、他端が光源アセンブリ４に接続されている。支持柱２により光源アセンブリ４を支持することができる。図３、図４に示すように、フレキシブルタッチパネル３は、支持柱２の外表面に貼り付けられて固定され、光源アセンブリ４と電気的に接続され、タッチ動作を感知することにより光源アセンブリ４の発光状態を制御する。ユーザがフレキシブルタッチパネル３に触れることにより、光源アセンブリ４の輝度、色温度などの発光状態の制御を実現することができ、ユーザが強力を用いることなく、フレキシブルタッチパネル３に軽く触れれば便利に調光することができる。フレキシブルタッチパネル３が支持柱２に設けられるため、ユーザのタッチ制御操作を便利にし、ユーザの操作体験を向上させることができる。指がフレキシブルタッチパネル３に上下スライドしながら触れたり、フレキシブルタッチパネル３に左右スライドしながら触れたりすることで、光源アセンブリ４の制御を実現することができるため、使用に便利である。
【００１１】
本実施形態において、フレキシブルタッチパネル３に上下スライドしながら触れることにより光源アセンブリ４の輝度を制御することができ、フレキシブルタッチパネル３に左右スライドしながら触れることにより光源アセンブリ４の色温度を制御することができる。当然、他の実施形態において、フレキシブルタッチパネル３に上下スライドしながら触れることにより光源アセンブリ４の色温度を制御することができ、フレキシブルタッチパネル３に左右スライドしながら触れることにより光源アセンブリ４の輝度を制御することができる。また、フレキシブルタッチパネル３に対する他の手操作により光源アセンブリ４の他の機能を調整することもできる。
【００１２】
フレキシブルタッチパネル３は、支持柱２を囲み、環状に巻回可能である。このようにして、支持柱２の周囲にフレキシブルタッチパネル３が設けられ、ユーザが照明装置の周囲における任意の位置においてもフレキシブルタッチパネル３を便利に触れることができるため、使用に便利であり、ユーザの操作体験をさらに提供する。
【００１３】
フレキシブルタッチパネル３と支持柱２とは、いずれも透明材料からなり、このようにして、照明装置に独特な視覚効果を付与可能であり、ユーザの注意を引きやすいため、ユーザがフレキシブルタッチパネル３の位置を便利に確定して光源アセンブリ４の制御を実現することができる。支持柱２は、透明なアクリル樹脂又はポリカーボネート（ＰＣ）で形成され得るが、当然、他の実施形態において、他の透明材質で形成されてもよい。
【００１４】
図３に示すように、台座１には、支持柱２と同軸に配置された取付柱１１が設けられている。支持柱２は、取付柱１１に取り外し可能に固定接続されている。取付柱１１により、さらに、照明アセンブリを一定の高さに支持し、照明を便利にし、かつ支持柱２と台座１との間の組み立て及び接続に有利である。
【００１５】
図３、図５、図６に示すように、支持柱２の一端にねじスタッド２１が設けられ、取付柱１１の端面にねじ孔１１０が設けられ、ねじスタッド２１がねじ孔１１０にねじ接続されており、このようにして、支持柱２と取付柱１１との間の組み立て及び接続を実現する。ねじスタッド２１は、支持柱２に設けられ、組立後に取付柱１１におけるねじ孔１１０に位置しており、このようにして、ねじスタッド２１が照明装置の外側から見えず、照明装置に優れた外観を与える。当然、支持柱２と取付柱１１とは、バックル構造のような他の取り外し可能な構造によって固定接続されてもよい。
【００１６】
本実施形態において、支持柱２は、取付柱１１を介して台座１に固定接続されているが、当然、他の実施形態において、台座１に直接接続されてもよい。支持柱２と台座１とは、回動可能に接続されてもよく、このようにして、光源アセンブリ４が支持柱２とともに台座１に対して回動可能であるため、照明角度を便利に調整することができる。
【００１７】
好ましくは、支持柱２が円柱状であり、フレキシブルタッチパネル３が円環状に巻回されており、このようにして、フレキシブルタッチパネル３と支持柱２の外表面との貼り付け及び接続を便利にすると同時に、フレキシブルタッチパネル３の外表面を円弧状にするため、ユーザがフレキシブルタッチパネル３の周方向に沿って左右にスライドしながら触れることが便利になり、ユーザの操作体験を向上させる。それに応じて、取付柱１１は円柱状であり、このようにして、照明装置に均一で優れた外観を与える。ここで、他の実施形態において、支持柱２は、四角柱状、多角柱状、楕円柱状などの他の形状であってもよい。
【００１８】
支持柱２は中実柱状であり、このようにして、支持柱２の構造的強度を向上させ、さらに、照明装置全体の構造的強度を向上させることができる。当然、他の実施形態において、支持柱２は中空柱状であってもよい。
【００１９】
支持柱２の軸方向は、台座１に垂直な縦方向であり、このようにして、照明装置全体が良好なバランスを保つことができる。ここで、他の実施形態において、支持柱２は、必要に応じて傾斜状に設けられてもよい。
【００２０】
フレキシブルタッチパネル３は、軸方向長さがそれ自体の直径よりも長い長手形状に形成されており、このようにして、フレキシブルタッチパネル３の軸方向のサイズが比較的大きくなるため、ユーザの注意を引きやすいとともに、ユーザがフレキシブルタッチパネル３を便利に制御することができる。
【００２１】
フレキシブルタッチパネル３は、軸方向長さが支持柱２の軸方向長さよりも小さく、両端がそれぞれねじスタッド２１と突起２２との間に位置する支持柱２の中間部の両端と面一となり、すなわち、フレキシブルタッチパネル３の外表面の軸方向長さが支持柱２の外表面の軸方向長さと等しい。このようにして、照明装置全体におけるフレキシブルタッチパネル３のサイズを増大させ、フレキシブルタッチパネル３に対するユーザのタッチ操作をさらに便利にすることができる。当然、フレキシブルタッチパネル３は、支持柱２の中間部の両端から延出して取付柱１１を覆ってもよい。又は、フレキシブルタッチパネル３の長さは、ねじスタッド２１と突起２２との間に位置する支持柱２の中間部の長さより小さくてもよい。
【００２２】
フレキシブルタッチパネル３の外表面が取付柱１１の外表面と面一となり、このようにして、ユーザの指がフレキシブルタッチパネル３から取付柱１１までスライドするときにユーザの操作体験を向上させることができると同時に、照明装置にシンプルで優れた外観を与える。
【００２３】
図１〜図３に示すように、光源アセンブリ４は、ランプハウジング４１と、ランプハウジング４１に取り付けられたＬＥＤランプ４２とを含む。ＬＥＤランプ４２を使用することにより、エネルギー消費を低減することができる。好ましくは、ランプハウジング４１は柱状であり、一端が支持柱２に接続されている。ＬＥＤランプ４２は、ランプハウジング４１の軸方向に沿って配置された長手形状である。ＬＥＤランプ４２は、複数のＬＥＤをランプハウジング４１の軸方向に沿って配置してなるランプベルトであってもよい。
【００２４】
図３、図５、図６に示すように、光源アセンブリ４は、ランプハウジング４１の一端に固定されて支持柱２と接続された取付筒４３をさらに含む。取付筒４３と支持柱２との協働により、支持柱２を光源アセンブリ４に固定接続することができる。好ましくは、支持柱２は取付筒４３と同軸に設けられている。
【００２５】
支持柱２は、取付筒４３に挿入された突起２２を含む。突起２２と突起２２を囲む取付筒４３の内壁との間には、収容キャビティが形成されている。フレキシブルタッチパネル３には、フレキシブル回路基板３１が電気的に接続されている。フレキシブル回路基板３１は、光源アセンブリ４に電気的に接続され、上記収容キャビティに位置している。突起２２により支持柱２と取付筒４３との組み立てを便利にするとともに、フレキシブルタッチパネル３と光源アセンブリ４とを電気的に接続するように、形成された収容キャビティにフレキシブル回路基板３１を便利に配置することができる。
【００２６】
突起２２は、支持柱２の他端に設けられた半柱状であり、取付筒４３内に延びて固定接続されており、このようにして、支持柱２と光源アセンブリ４との間の接続を実現する。
【００２７】
突起２２には、接続孔２２０が設けられ、接続孔２２０の軸方向が支持柱２の軸方向に対して垂直である。取付筒４３の筒壁において接続孔２２０に対応する位置に貫通孔（図示せず）が設けられている。光源アセンブリ４は、貫通孔及び接続孔２２０を貫通して設けられた固定部（図示せず）を含み、このようにして、取付筒４３と突起２２とが固定されている。固定部は、ねじ又はピンであってもよい。突起２２を取付筒４３に取り付けた後、固定部が取付筒４３の外側から貫通孔及び接続孔２２０を貫通することにより、支持柱２と取付筒４３との間の組み立て及び接続を実現することができる。ここで、他の実施形態において、突起２２に接続孔２２０が設けられ、接続孔２２０の軸方向が支持柱２の軸方向と垂直であり、取付筒４３の内壁に固定部が固定され、固定部が接続孔２２０に係合し、突起２２を取付筒４３に挿入するときに固定部が接続孔２２０に係合することにより、支持柱２と取付筒４３とが固定されている。
【００２８】
図４を参照すると、突起２２が半円柱状であるため、突起２２と突起２２を囲む取付筒４３の内壁との間に収容キャビティが形成され、フレキシブルタッチパネル３と電気的に接続されたフレキシブル回路基板３１が収容キャビティに収容され得る。フレキシブルタッチパネル３の外表面が取付筒４３の外表面と面一になり、このようにして、ユーザの操作体験をさらに向上させることができる。
【００２９】
図３に示すように、照明装置は、光源アセンブリ４に設けられて光源アセンブリ４をオン／オフするように構成されたスイッチアセンブリ５をさらに含む。スイッチアセンブリ５により光源アセンブリ４の電源をオン／オフすることができる。ここで、他の実施形態において、スイッチアセンブリ５は、台座１に設けられてもよい。
【００３０】
スイッチアセンブリ５と光源アセンブリ４とは、それぞれ、支持柱２の対向する両側に設けられ、このようにして、照明装置全体のバランスを保つ。本実施形態において、スイッチアセンブリ５と光源アセンブリ４と支持柱２とは、略Ｙ字状に接続されている。
【００３１】
スイッチアセンブリ５は、ＬＥＤナイトライト５１と、回路基板５２と、ランプハウジング４１に回転可能に接続された回転ボタン５３とを含む。ＬＥＤナイトライト５１の輝度とＬＥＤランプ４２の輝度とは逆に変化し、すなわち、ＬＥＤランプ４２が明るくなるとＬＥＤナイトライト５１が暗くなり、その逆も同様である。ＬＥＤナイトライト５１は、フレキシブルタッチパネル３に電気的に接続されており、このようにして、ＬＥＤナイトライト５１とＬＥＤランプ４２とが同時に調整され得る。
【００３２】
回転ボタン５３は、回路基板５２と電気的に接続されている。回路基板５２は、回転ボタン５３の回転に応じてオン／オフ信号を生成するように構成されている。ＬＥＤナイトライト５１は、回路基板５２に配置されて回転ボタン５３に収容され、かつ回転ボタン５３の中心軸に位置している。ＬＥＤナイトライト５１は、フレキシブルタッチパネル３に電気的に接続されている。回転ボタン５３を回転させると、光源アセンブリ４をオン／オフすることができると同時に、ＬＥＤナイトライト５１をオン／オフすることができる。
【００３３】
回転ボタン５３は、光透過性材質で形成され、ＬＥＤナイトライト５１から発した光は、回転ボタン５３を透過して出射する。ＬＥＤナイトライト５１によって照明を行ってもよく、かつＬＥＤナイトライト５１からの光が回転ボタン５３を透過して出射し得るため、スイッチアセンブリ５によりスイッチ制御を行ったり照明を行ったりすることができ、使用に便利である。ここで、他の実施形態において、スイッチアセンブリ５は、押圧スイッチ、トグルスイッチ、又は他の形態のスイッチであってもよい。
【００３４】
ＬＥＤナイトライト５１は、フレキシブルタッチパネル３に電気的に接続されており、フレキシブルタッチパネル３によりＬＥＤナイトライト５１の制御を実現することもできる。本実施形態において、フレキシブルタッチパネル３は、上下スライドと左右スライドとの２つの制御モードを有する。上下スライドの場合は、ＬＥＤランプ４２及びＬＥＤナイトライト５１の輝度を調整する。例えば、上にスライドするときにＬＥＤランプ４２の輝度が増加するとともにＬＥＤナイトライト５１の輝度が減少するが、下にスライドするときにその反対である。ＬＥＤランプ４２の輝度とＬＥＤナイトライト５１の輝度とは逆に変化する。左右スライドの場合は、ＬＥＤランプ４２の色温度を調整し、例えば、左にスライドするときに色温度が増加するが、右にスライドするときに色温度が減少する。
【００３５】
さらに、図３に示すように、照明装置は、電池６をさらに含み、電池６は、上記フレキシブルタッチパネル３及び光源アセンブリ４に電気的に接続される。電池６が光源アセンブリ４に電力を供給することにより、外部電源を必要とすることなく、照明装置の移動、使用を便利にする。
【００３６】
取付筒４３内には、フレキシブルタッチパネル３と、電池６と、光源アセンブリ４と、スイッチアセンブリ５とに電気的に接続された制御器７がさらに設けられている。制御器７は、フレキシブルタッチパネル３によって感知されたタッチ信号を受信した後、そのタッチ信号を制御信号に変換して光源アセンブリ４のＬＥＤランプ４２及びスイッチアセンブリ５のＬＥＤナイトライト５１を制御する。また、制御器７は、回路基板５２からのオン／オフ信号を受信することにより、照明装置のオン／オフを制御する。
【００３７】
本実施形態において、電池６と制御器７とは、フレキシブルタッチパネル３の同じ側に位置し、ここで、電池６が光源アセンブリ４に設けられる。より具体的には、光源アセンブリ４のランプハウジング４１が円柱状であり、電池６がランプハウジング４１における支持柱２に近接する端部に設けられており、このようにして、照明装置全体のバランスを保つ。ここで、他の実施方式において、電池６と制御器７とは、フレキシブルタッチパネル３の対向する両側に設けられてもよく、ここで、電池６は支持柱２内に設けられているか、又は台座１内に設けられている。電池６がフレキシブルタッチパネル３の下に位置する場合、フレキシブルタッチパネル３は、導電路径として電池６と取付筒４３における制御器７とを電気的に接続することができるため、ワイヤを使用する必要がなく、照明装置の内部構造をよりコンパクトにする。
【００３８】
上述した実施形態は、その技術的構成による保護範囲を限定するものではない。上述した実施形態の主旨及び原則に基づく如何なる修正、均等交換、及び改良は、その技術的構成による保護範囲内に含まれるべきである。
【図１】
2019501490.tif 000003
【図２】
2019501490.tif 000004
【図３】
2019501490.tif 000005
【図４】
2019501490.tif 000006
【図５】
2019501490.tif 000007
【図６】
2019501490.tif 000008
【手続補正書】
【提出日】平成30年5月31日(2018.5.31)
【手続補正１】
【補正対象書類名】明細書
【補正対象項目名】００１２
【補正方法】変更
【補正の内容】
【００１２】
フレキシブルタッチパネル３は、支持柱２を囲み、環状に巻回可能である。このようにして、支持柱２の周囲にフレキシブルタッチパネル３が設けられ、ユーザが照明装置の周囲における任意の位置においてもフレキシブルタッチパネル３を便利に触れることができるため、使用に便利であり、ユーザの操作体験をさらに向上させる。
【手続補正２】
【補正対象書類名】明細書
【補正対象項目名】００１９
【補正方法】変更
【補正の内容】
【００１９】
支持柱２の軸方向は、台座１に垂直な縦方向であり、このようにして、照明装置全体が良好なバランスを保つことができる。ここで、他の実施形態において、支持柱２は、必要に応じて台座１に対して傾斜してもよい。
【手続補正３】
【補正対象書類名】明細書
【補正対象項目名】００３４
【補正方法】変更
【補正の内容】
【００３４】
ＬＥＤナイトライト５１は、フレキシブルタッチパネル３に電気的に接続されており、フレキシブルタッチパネル３によりＬＥＤナイトライト５１の制御を実現することもできる。本実施形態において、フレキシブルタッチパネル３は、上下スライドと左右スライドとの２つの制御モードを有する。上下スライドの場合は、ＬＥＤランプ４２及びＬＥＤナイトライト５１の輝度を調整する。例えば、上にスライドするときにＬＥＤランプ４２の輝度が増加するとともにＬＥＤナイトライト５１の輝度が減少するが、下にスライドするときにＬＥＤランプ４２の輝度が減少するとともにＬＥＤナイトライト５１の輝度が増加する。ＬＥＤランプ４２の輝度とＬＥＤナイトライト５１の輝度とは逆に変化する。左右スライドの場合は、ＬＥＤランプ４２の色温度を調整し、例えば、左にスライドするときに色温度が増加するが、右にスライドするときに色温度が減少する。
【手続補正４】
【補正対象書類名】特許請求の範囲
【補正対象項目名】全文
【補正方法】変更
【補正の内容】
【特許請求の範囲】
【請求項１】
照明装置であって、
台座と、支持柱と、フレキシブルタッチパネルと、光源アセンブリとを含み、
前記支持柱は、一端が前記台座に接続され、他端が前記光源アセンブリに接続され、
前記フレキシブルタッチパネルは、前記支持柱の外表面に貼り付けられて固定され、前記光源アセンブリと電気的に接続され、タッチ動作を感知して前記光源アセンブリの発光状態を制御することを特徴とする、照明装置。
【請求項２】
前記フレキシブルタッチパネルは、前記支持柱を囲むことを特徴とする、請求項１に記載の照明装置。
【請求項３】
前記フレキシブルタッチパネル及び前記支持柱は、透明材料からなることを特徴とする、請求項１に記載の照明装置。
【請求項４】
前記台座には、前記支持柱と同軸に配置された取付柱が設けられ、
前記支持柱は、前記取付柱に取り外し可能に固定接続されていることを特徴とする、請求項１に記載の照明装置。
【請求項５】
前記光源アセンブリは、ランプハウジングと、前記ランプハウジングに取り付けられたＬＥＤランプとを含むことを特徴とする、請求項１に記載の照明装置。
【請求項６】
前記光源アセンブリは、前記ランプハウジングの一端に固定されて前記支持柱と接続された取付筒をさらに含むことを特徴とする、請求項５に記載の照明装置。
【請求項７】
前記支持柱は、前記取付筒内に挿入された突起を含み、
前記突起と前記突起を囲む前記取付筒の内壁との間には、収容キャビティが形成され、
前記フレキシブルタッチパネルには、フレキシブル回路基板が電気的に接続され、
前記フレキシブル回路基板は、前記光源アセンブリに電気的に接続され、前記収容キャビティに位置していることを特徴とする、請求項６に記載の照明装置。
【請求項８】
前記フレキシブルタッチパネルの外表面は、前記取付筒の外表面と面一になることを特徴とする、請求項６項に記載の照明装置。
【請求項９】
前記照明装置は、前記光源アセンブリに設けられて前記光源アセンブリをオン／オフするように構成されたスイッチアセンブリをさらに含むことを特徴とする、請求項５に記載の照明装置。
【請求項１０】
前記スイッチアセンブリと前記ランプハウジングとは、それぞれ、前記支持柱の対向する両側に設けられていることを特徴とする、請求項９に記載の照明装置。
【請求項１１】
前記スイッチアセンブリは、ＬＥＤナイトライトを含み、
前記ＬＥＤナイトライトの輝度と前記ＬＥＤランプの輝度とは逆に変化することを特徴とする、請求項９に記載の照明装置。
【請求項１２】
前記スイッチアセンブリは、前記ランプハウジングに回転可能に接続された回転ボタンをさらに含み、
前記ＬＥＤナイトライトは、前記回転ボタンに収容され、前記ＬＥＤナイトライトから発した光が前記回転ボタンを透過して出射することを特徴とする、請求項１１に記載の照明装置。
【請求項１３】
前記照明装置は、制御器と電池とをさらに含み、
前記制御器と前記電池とは、何れも前記フレキシブルタッチパネル及び前記光源アセンブリに電気的に接続されていることを特徴とする、請求項５に記載の照明装置。
【請求項１４】
前記電池と前記制御器とは、前記フレキシブルタッチパネルの同じ側に取り付けられ、
前記電池は、前記ランプハウジングに収容されていることを特徴とする、請求項１３に記載の照明装置。
【請求項１５】
前記電池と前記制御器とは、前記フレキシブルタッチパネルの対向する両側に取り付けられ、
前記フレキシブルタッチパネルは、導電路径として前記電池と前記制御器とを電気的に接続していることを特徴とする、請求項１３に記載の照明装置。
【国際調査報告】
2019501490.tif 000009
2019501490.tif 000010
2019501490.tif 000011
2019501490.tif 000012